(57)【要約】【課題】  液晶表示素子と背面板との位置ずれが生じることなく良好な表示が得られる液晶表示装置を提供することを目的とする。【解決手段】  表示部を有する液晶表示素子１と、液晶表示素子１の背後に配設される背面板２と、前記背面板２および前記液晶表示素子１を支持するホルダー５とからなる液晶表示装置において、ホルダー５の周壁５１箇所の適所に背面板２を位置決め固定する位置決め孔部５３を設けるとともに、この位置決め孔部５３の内面部分の適所に突起５４を設け、背面板２の周縁箇所に位置決め孔部５３に対応して位置決め用耳部２Ａを突設してなることにより、背面板２は、ホルダー５に設けられた位置決め孔部５３に背面板２の位置決め用耳部２Ａが差し込まれ、位置決め孔部５３の内面部分に形成された突起５４によってホルダー５に対して位置決め状態にて固定保持される。【選択図】  図１
2008089660.tif 000002
【特許請求の範囲】
【請求項１】
表示部を有する液晶表示素子と、この液晶表示素子の背後に配設される背面板と、前記背面板および前記液晶表示素子を支持するホルダーとからなる液晶表示装置において、前記ホルダーの周壁箇所の適所に前記背面板を位置決め固定する位置決め孔部を設けるとともに、この位置決め孔部の内面部分の適所に突起を設け、前記背面板の周縁箇所に前記位置決め孔部に対応して位置決め用耳部を突設してなることを特徴とする液晶表示装置。
【請求項２】
前記背面板の前記位置決め用耳部は、前記背面板の形状が非対称な形状となるように配設してなることを特徴とする請求項１に記載の液晶表示装置。
【請求項３】
前記ホルダーの周壁内面部分には、その周壁の適所に奥行き方向に沿ってリブを設けてなることを特徴とする請求項１または請求項２に記載の液晶表示装置。
【発明の詳細な説明】
【技術分野】
【０００１】
本発明は、液晶表示装置に関するものである。
【背景技術】
【０００２】
この種の液晶表示装置として、たとえば下記特許文献１や特許文献２などに開示されているように、液晶表示素子と回路基板とを接続する導電ゴムなどの通電部材が設けられるホルダーを有している。液晶表示装置は、ホルダーを介して液晶表示素子を回路基板に設置するために金属製のフレーム部材であるセル抑え（枠体）を用いている。このセル抑え（枠体）は、回路基板方向に延びる脚部を備え、その先端を回路基板に設けられる孔部に挿し込み、回路基板の背面に突出した部分をねじって回路基板に係止することによって、液晶表示素子を表示面側から押圧して表示素子と導電ゴムと回路基板とを密着させ電気的接続を保証し、液晶表示素子，レンズシート，拡散板，導電ゴム，ホルダーおよび回路基板などを一体的に保持し位置決めを行うようにしている。
【特許文献１】特開平１１−１０９３１８号公報
【特許文献２】特開平１１−３５２４７６号公報
【発明の開示】
【発明が解決しようとする課題】
【０００３】
以上のような構成の液晶表示装置にあって、回路基板上に、ホルダーを介して順次各部品が組み付けられるが、その組み付け後において液晶表示素子の背後側に位置し、ホルダーにセットされるレンズシートや拡散板（光量調整用シート板や着色フィルター板など）の背面板は、ホルダーの寸法設定のばらつきや背面板自体の寸法ばらつきなどによって位置ずれが生じたり、板厚寸法の各部品のばらつきによって隙間が生じてしまうため、振動雰囲気中に晒されると振動によって動き、異音が発生したり、ホルダーと擦れて粉が発生して液晶による表示に影響を及ぼす虞がある。
【０００４】
また一般的には、液晶表示素子と着色フィルターなどの半透明板（背面板）は僅かに所定の間隔を配して設けられており、加えて、ホルダーとの位置決め箇所が着色フィルターなどの半透明板（背面板）と液晶表示素子とが離れているため、半透明板（背面板）と液晶表示素子とに位置ずれが発生しやすいという問題がある。たとえば、上下に積層配設される液晶表示素子と半透明板（背面板）との一方が動いてしまうと着色フィルターの位置関係にずれが生じ液晶表示素子による所定の表示エリアに対し半透明板の着色フィルターによる透過色エリアとにずれが生じてしまい所定の色合いにて照明表示を行うことができなくなってしまうという問題がある。
【０００５】
そこで、本発明は、このような点に鑑みなされたもので、液晶表示素子と背面板との位置ずれが生じることなく良好な表示が得られる液晶表示装置を提供することを目的とする。
【課題を解決するための手段】
【０００６】
本発明は、前述した課題を解決するため、請求項１に記載のように、表示部を有する液晶表示素子と、この液晶表示素子の背後に配設される背面板と、前記背面板および前記液晶表示素子を支持するホルダーとからなる液晶表示装置において、前記ホルダーの周壁箇所の適所に前記背面板を位置決め固定する位置決め孔部を設けるとともに、この位置決め孔部の内面部分の適所に突起を設け、前記背面板の周縁箇所に前記位置決め孔部に対応して位置決め用耳部を突設してなることを特徴とする液晶表示装置である。
【０００７】
このように構成することにより、液晶表示素子の背後に配置される背面板は、ホルダーに設けられた位置決め孔部に背面板の位置決め用耳部が差し込まれて位置合わせされながら位置決め孔部の内面部分に形成された突起によってホルダーに対して動くことなく位置決めされて固定保持される。
【０００８】
また、請求項１に記載の液晶表示装置において、請求項２では、前記背面板の前記位置決め用耳部は、前記背面板の形状が非対称な形状となるように配設してなることを特徴とするものである。
【０００９】
このように構成することにより、ホルダーに対して背面板が非対称な形状に形成されるため、誤って組み付けてしまうという問題を解消することができる。
【００１０】
また、請求項１または請求項２に記載の液晶表示装置において、請求項３では、前記ホルダーの周壁内面部分には、その周壁の適所に奥行き方向に沿ってリブを設けてなることを特徴とするものである。
【００１１】
このように構成することにより、ホルダーの周壁内面部分に沿って背面板をセットする場合、その周壁の適所に奥行き方向に沿ってリブが設けられているため、位置ずれもなくリブに沿って圧入保持されるものであり、ホルダーに対して隙間によるがたつきを抑えることができ異音の発生を予防することができる。
【発明の効果】
【００１２】
本発明では、表示部を有する液晶表示素子と、この液晶表示素子の背後に配設される背面板と、前記背面板および前記液晶表示素子を支持するホルダーとからなる液晶表示装置において、前記ホルダーの周壁箇所の適所に前記背面板を位置決め固定する位置決め孔部を設けるとともに、この位置決め孔部の内面部分の適所に突起を設け、前記背面板の周縁箇所に前記位置決め孔部に対応して位置決め用耳部を突設してなることにより、背面板は、ホルダーに設けられた位置決め孔部に背面板の位置決め用耳部が差し込まれて位置合わせされながら位置決め孔部の内面部分に形成された突起によってホルダーに対して動くことなく位置決め状態にて固定保持することができるものであり、これにより初期の目的を達成することができる。
【発明を実施するための最良の形態】
【００１３】
以下、添付図面に基づいて、本発明を適用した液晶表示装置の実施形態を説明する。
【００１４】
図１から図３は、本発明の第１の実施形態を示すもので、図１は液晶表示装置の分解斜視図であり、図２は、図１の組み付け状態を示すＡ−Ａ線の断面図であり、図３は、図１の組み付け状態を示すＢ−Ｂ線の断面図である。
【００１５】
本実施形態による液晶表示装置として、表示部を有する液晶表示素子１と、この液晶表示素子１の背後に配設される背面板２と、この背面板２を背後から直接あるいは間接的に照明する光源３と、この光源３を実装するとともに前記液晶表示素子１を駆動する駆動回路を設けた回路基板４と、この回路基板４上にて前記背面板２および前記液晶表示素子１を支持するホルダー５と、このホルダー５の前面側にて前記液晶表示素子１を前記ホルダー５側に固定保持する枠体６と、前記ホルダー５に保持され前記液晶表示素子１に設けられた電極部と回路基板４の導電パターンとの間を電気的に接続する導電ゴムなどの通電部材７とによって構成されている。
【００１６】
液晶表示素子１は、たとえば、ガラス材料からなる第一の基板１Ａとガラス材料からなる第二の基板１Ｂとの間にＳＴＮ（Super Twisted Nematic）やＴＮ（Twisted Nematic）等の液晶を封入してなる。略長方形状の第二の基板１Ｂ上に、第二の基板１Ｂと比較して長手方向に等しく、短辺は、対応する第二の基板１Ｂの短辺より短い第一の基板１Ａが設けられる。第一の基板１Ａと第二の基板１Ｂとの対向面にはそれぞれ透明電極が形成される。第一の基板１Ａに覆われず第二の基板１Ｂの表示側における外部に露出する部分は、透明電極が等間隔に引き出される電極端子（図示しない）が設けられ、導電ゴムなどからなる通電部材７によって電気的に接続される。
【００１７】
液晶表示素子１の背後に配設される背面板２には、背面板２の周縁箇所の適所に位置決め用耳部２Ａが突き出し形成されている。この実施形態にあっては、背面板２の周縁箇所に設けられる位置決め用耳部２Ａは、背面板２の形状が非対称（左右非対称）な形状となるように配設されている。なお、この実施形態における背面板２として、光源３からの照射光線を液晶表示素子１側に拡散導光する光拡散板や光量調整のための半透過板を適用している。
【００１８】
回路基板４は、液晶表示素子１を駆動するための駆動回路（図示しない）が設けられ、その一部に液晶表示素子１の電極端子と等しい間隔で導電パターンからなる導電端子（図示しない）が形成され、導電ゴムなどの通電部材７によって接続されている。また回路基板４上には、液晶表示素子１と背面板２とを透過照明するためのＬＥＤからなる光源３が実装されている。
【００１９】
導電ゴムなどからなる通電部材７は、長手方向に沿って絶縁層と導電層とが交互に液晶表示素子１の電極端子および回路基板４の導電端子と等しい間隔で積層される積層構造となっており、液晶表示素子１の接続端子および回路基板４の導電端子との間に介在し、電極端子と通電端子との間にて密着することで導通を図る弾性接続部材である。
【００２０】
ホルダー５は、たとえば、白色の合成樹脂材料からなり、液晶表示素子１と背面板２とを支持するために直方体の略箱型形状に形成されている。
【００２１】
ホルダー５には、液晶表示素子１を載置する枠状の載置面５０部分が形成されるとともに、ホルダー５の上端側の載置面５０による周壁部５１の内面側に背面板２が載置される段差受部５２が形成されている。この場合、背面板２に設けられた位置決め用耳部２Ａの位置に対応してホルダー５の周壁部５１箇所に背面板２を位置決め固定する位置決め孔部５３が設けられるとともに、この位置決め孔部５３の内面部分の適所に位置決め用耳部２Ａに向けて突出する突起５４が設けられている。またホルダー５の周壁部５１の内面部分には、その周壁部５１の適所に奥行き方向に沿ってリブ５５が設けられている。
【００２２】
またホルダー５の底部には、段差受部５２より奥まった位置にて開口する開口部５６が設けられ、この開口部５６位置に対応して回路基板４上に設けられた光源３であるＬＥＤが配置されている。
【００２３】
またホルダー５には、枠状からなる周壁部５１の一部に導電ゴムなどからなる通電部材７を受け入れる挿入孔５７が設けられるとともに、ホルダー５の背後側に回路基板４との位置決めを行うための位置決め用ピン５８が突き出し形成されている。
【００２４】
ホルダー５の前面側にて液晶表示素子１をホルダー５側に固定保持する枠体６は、金属板をプレス加工したものであり、液晶表示素子１の前方周縁を覆う枠状の額縁部６０と、この額縁部６０からホルダー５の周壁部５１に沿って延びる脚部６１とによって形成されており、この脚部６１には回路基板４に設けられた孔部４Ａに挿入され、回路基板４の背面側に突出する先端部分に略Ｌ字状の鉤型形状による係止部６２が設けられている。この係止部６２は捻りによる塑性変形により回路基板４に係止される。なお、枠状の額縁部６０の背面部分には液晶表示素子１と突き合わせ配置される箇所に柔軟性の緩衝部材６３が貼り合わせによって設けられている。
【００２５】
このように構成された第１の実施形態による液晶表示装置にあっては、ホルダー５に背面板２や液晶表示素子１を支持させるには以下のようにしている。まず、背面板２をホルダー５の周壁部５１に合わせて背面板２を押し込む。この際、背面板２は、ホルダー５に設けられた位置決め孔部５３に背面板２の位置決め用耳部２Ａを差し込んで位置合わせする。これにより位置決め孔部５３の内面部分に形成された突起５４によって背面板２の位置決め用耳部２Ａが部分的に圧入されるため、ホルダー５に対して動くことなく背面板２が位置決めされて固定保持することができる。
【００２６】
加えて、ホルダー５の周壁部５１内面部分には、その周壁部５１の適所に奥行き方向に沿ってリブ５５を設けてなることにより、ホルダー５の周壁部５１の内面部分に沿って背面板２をセットする場合、その周壁部５１の適所に奥行き方向に沿ってリブ５５が設けられているため、位置ずれもなくリブ５５に沿って圧入保持されるものであり、隙間によるがたつきを抑えることができ異音の発生を予防することができる。
【００２７】
次に、液晶表示素子１を枠状の載置面５０部分に載せた後に枠体６を被せ、ホルダー５とともに回路基板４上にセットする。この際、ホルダー５の背後側に回路基板４との位置決めを行うための位置決め用ピン５８が突き出し形成されているため、位置合わせを良好に行うことができる。すなわち、枠体６に設けた脚部６１の係止部６２を回路基板４の孔部４Ａに沿わせて送り込むことができ、この状態にて係止部６２を工具などによって捻ることによって塑性変形することにより、回路基板４上にホルダー５側を枠体６によって固定保持することができる。
【００２８】
また、ホルダー５に対して背面板２が非対称な形状に形成されているため、誤って組み付けてしまうという問題をも解消することができる。
【００２９】
なお、本発明は上述した実施例に限定されるものでなく本発明の要旨の範囲において種々の変形実施が可能である。たとえば、前述した各実施形態においては、液晶表示装置をＬＥＤ点灯による透過型表示としたが、昼間は外光による反射型表示となるように構成しても良いものであり、照明手段としてＬＥＤを用いていたが他の照明手段であっても良い。また、実施形態による液晶表示素子の組み付け手段としては、ホルダーの載置面上に液晶表示素子を載せて枠体にて覆いながら保持するようにしていたが、背面板とともに液晶表示素子をホルダーの周壁部位置に合わせてセットすることによって背面板とともに液晶表示素子をホルダーに直接保持するようにしても良い。また、液晶表示素子と回路基板との電気的接続は導電ゴムなどからなる通電部材のみならずリード線あるいはＦＰＣでも良い。また、ホルダーに設けられた位置決め孔部の内面部分の突起も個数や大きさあるいは配設位置など適宜設定すればよいものであり、また同様にホルダーの周壁部の内面部分に、その奥行き方向に沿って設けられたリブにおいてもリブの高さ寸法や形状、大きさ、数なども適宜設定すれば良い。
【図面の簡単な説明】
【００３０】
【図１】図１は、本発明の第１の実施形態である液晶表示装置を示す分解斜視図。
【図２】図２は、図１における液晶表示装置の組み付け状態を示すＡ−Ａ線の断面図。
【図３】図３は、図１における液晶表示装置の組み付け状態を示すＢ−Ｂ線の断面図。
【符号の説明】
【００３１】
１  液晶表示素子
１Ａ  第一の基板
１Ｂ  第二の基板
２  背面板
２Ａ  位置決め用耳部
３  光源
４  回路基板
４Ａ  孔部
５  ホルダー
６  枠体
７  通電部材
５０  載置面
５１  周壁部
５２  段差受部
５３  位置決め孔部
５４  突起
５５  リブ
５６  開口部
５７  挿入孔
５８  位置決め用ピン
６０  額縁部
６１  脚部
６２  係止部
６３  緩衝部材
【図１】
2008089660.tif 000003
【図２】
2008089660.tif 000004
【図３】
2008089660.tif 000005